(57)【要約】【課題】既存の脚立に装着される補助具であり、調整作業が容易な脚立用安定補助具を提供する。【解決手段】既存の脚立３０に、着脱自在に装着する脚立用安定補助具１であって、その脚立用安定補助具１は、脚立３０の高さ方向の略全長に及ぶ長さを有し、支柱３１へ添設固定する固定手段３，３と、その固定手段３，３に回動自在に螺合貫通する補助脚２と、その補助脚２の所要高さに補助脚２を回動し、固定手段３，３の下面よりの突出長さを調整し得るグリップ部４とで構成される。【選択図】図１
2018188936.tif 000002
【特許請求の範囲】
【請求項１】
左右に対向して配置される支柱間に、該支柱と直交する足掛桟を多段状に有し、該支柱の長さ方向の中央部にヒンジを設け、該ヒンジ部から逆Ｖ字状に屈曲することで自立する脚立に、着脱自在に装着する脚立用安定補助具であって、該脚立用安定補助具は、前記脚立の高さ方向の略全長に及ぶ長さを有し、前記支柱へ添設固定する固定手段と、該固定手段に回動自在に螺合貫通する補助脚と、該補助脚の所要高さに該補助脚を回動し、前記固定手段の下面よりの突出長さを調整し得るグリップ部とを有することを特徴とする脚立用安定補助具。
【請求項２】
前記補助脚の上端部であって、作業者が前記脚立上で調整し得る位置に、前記グリップ部とは別の突出長さ調整用ハンドル部を有していることを特徴とする請求項１に記載の脚立用安定補助具。
【請求項３】
前記突出長さ調整用ハンドル部は、円盤状の回転ハンドルと、該回転ハンドルに垂設された軸本体部と、該軸本体部の前記回転ハンドルとは逆側の先端部にねじ部と、前記軸本体部の外周部に刻設された縮径部に遊挿し、前記軸本体外周壁と摺動自在の略中空円柱状のロック部とを有し、前記ハンドル部が前記補助脚上端部から着脱自在であることを特徴とする請求項２に記載の脚立用安定補助具。
【請求項４】
前記支柱へ添設固定する固定手段の支柱嵌合部が、略半円形状の貫通孔であることを特徴とする請求項１から３のいずれか一項に記載の脚立用安定補助具。
【発明の詳細な説明】
【技術分野】
【０００１】
本発明は、脚立用安定補助具に関し、特に、不整地や傾斜地さらには配水勾配のある道路等において脚立を安定的に保持することができる脚立用安定補助具に関するものである。
【背景技術】
【０００２】
従来から使用されている脚立は、４本の支柱と、昇降用の足掛桟と、回転金具であるヒンジと、開き止め金具等で構成され、支柱の長さが固定されているものがほとんどである。このような脚立は、平坦な地面上では非常に安定した状態で使用することができる。
【０００３】
しかし、上記の様な４本支柱の脚立では、傾斜地や不整地さらには道路等においては配水勾配等により、４本の支柱いずれかが浮き上がり、ガタつきが発生し脚立の安定性を欠くことが多く、使用中に脚立の転倒や作業者が転落する恐れなどの問題があった。
【０００４】
そこで、このような問題に対して特許文献１には、脚部（支柱）の長さ調整構造が開示されている。すなわち、特許文献１に記載されている脚部（支柱）の長さ調整構造は、従来品に対して脚部（支柱）下端に脚調整部を設け、脚調整部をボルト及びナットで脚部（支柱）下端に螺合係止すると同時に、脚部（支柱）下端と脚調整部との間にストッパー用ナットを介在させた構造で、脚部（支柱）の長さを調整可能とする構造が開示されている。
【先行技術文献】
【特許文献】
【０００５】
【特許文献１】実開昭５９−７５８９９号公報
【発明の概要】
【発明が解決しようとする課題】
【０００６】
しかし、特許文献１に記載の脚立（支柱）の長さ調整構造では、脚立（支柱）下端に設けられているので、長さを調整する時、作業者は屈んで調整する事が必要となり作業性が悪いという問題があった。また、その長さ調整構造は、既存の脚立に装着して使用することが困難であり不経済であった。本発明は、上記課題を鑑みてなされたものであり、その具体的目的は、既存の脚立に装着される補助具であり、調整作業が容易な脚立用安定補助具を提供することにある。
【課題を解決するための手段】
【０００７】
本発明は、上記目的を達成するために案出されたものである。詳述するならば、左右に対向して配置される支柱間に、該支柱と直交する足掛桟を多段状に有し、該支柱の長さ方向の中央部にヒンジを設け、該ヒンジ部から略逆Ｖ字状に屈曲することで自立する脚立に、着脱自在に装着する脚立用安定補助具である。該脚立用安定補助具は脚立の高さ方向の略全長に及ぶ長さを有し、前記支柱へ添設固定する固定手段と、該固定手段に回動自在に螺合貫通する補助脚と、該補助脚の所要高さに該補助脚を回動し、前記固定手段の下面よりの突出長さを調整し得るグリップ部の構成からなる。
【０００８】
本発明の脚立用安定補助具によって、脚立を地面に対して安定状態に設置する為には、まず脚立の４本中１本の支柱に、脚立用安定補助具の固定部材を支柱にボルトナットで固定することで、既存の脚立に装着可能となる。作業者は脚立の前面に対向した状態で、一方の手で長さ調整部であるグリップ部を回動し長さ調整をしながら、他の一方の手で脚立の支柱を把持し安定性を確認する。グリップ部が所要高さに貼着されていることより、作業者が起立姿勢で調整可能であり、脚立全体を見渡した状態で設置することで作業性が向上する。
【０００９】
本発明には、前記補助脚の上端部であって作業者が前記脚立上で調整し得る所要の位置に、長さ調整用ハンドル部を有する構成が含まれる。
【００１０】
本発明の脚立用安定補助具は、作業前に脚立を地面に対して安定状態に設置しても、作業者が脚立に乗ると作業者の体重で脚立が不安定となる場合もあり、その場合でも脚立を降りることなく脚立上で前記ハンドル部を回動し調整することで脚立を地面に対して安定した状態に調整することができる。
【００１１】
本発明のハンドル部には、円盤状の回転ハンドルと、該回転ハンドルに垂設された軸本体部と、該軸本体部の回転ハンドルとは逆側の先端部に固定ねじ部と、前記軸本体部外周部に刻設された縮径部に遊挿し、前記軸本体外周壁と摺動自在の略中空円柱状のロック部とを有し、前記補助脚上端部から着脱自在である構成が含まれる。
【００１２】
本発明のハンドル部は、補助脚上端部から着脱自在であるので、使用する脚立高さが変わった場合は軸本体部の長さを選択することで所要の位置にハンドル部を設置できるので、高さが違う脚立にも使用できる。
【００１３】
本発明には、支柱へ添設固定する固定手段の支柱嵌合部が、略半円形状の貫通孔である構成が含まれる。
【００１４】
本発明の脚立用安定補助具は、脚立の支柱が円筒形状の場合は、固定手段の支柱嵌合部が、略半円形状の貫通孔である物を選択し使用することができる。
【発明の効果】
【００１５】
本発明の脚立用安定補助具は、支柱の形状が円筒形状や角筒形状等であっても、また、脚立の高さが違う等の種類が違う脚立であっても、広く既存の脚立に対応可能であり、さらに、脚立を地面に対して安定状態に設置する調整作業が容易であるという利点がある。
【図面の簡単な説明】
【００１６】
【図１】本発明に係る脚立用安定補助具の使用状態を示す正面図である。
【図２】図１に示す固定手段の拡大一部切欠正面図である。
【図３】図２に示す固定手段の使用状態を示す平面図である。
【図４】本発明の他の実施形態に係る固定手段の使用状態を示す拡大平面図である。
【図５】図１に示すハンドル部の拡大部分断面図である。
【図６】図５に示す補助脚上端部の平面図である
【図７】図５に示すハンドル部の平面図である。
【図８】図１に示す補助脚下端部を示し、（Ａ）はその正面図、（Ｂ）はそのカバー装着状態の正面図である。
【発明を実施するための形態】
【００１７】
以下、本発明の実施形態を図面を参照しながら説明する。
なお、実施形態において、脚立に脚立用安定補助具を装着した状態の脚立高さ方向と平行な方向が、上下方向であり、上下方向と直角な方向の脚立側を内側と、脚立と反対方向を外側という。
【００１８】
（第１実施形態）
図１に示されるように、本発明に係る脚立用安定補助具１は、脚立３０の高さ方向の略全長に及ぶ長さを有し、支柱３１へ添設固定される固定手段３，３と、その固定手段３，３に回動自在に螺合貫通する補助脚本体部２と、その補助脚本体部２の所要高さに補助脚本体部２を回動し、固定手段３，３の下面よりの突出長さを調整し得るグリップ部４と、補助脚本体２の上端部であって作業者が脚立３０に乗った状態で調整し得る所要の位置にハンドル部５と、グリップ部４の上方に刻設された六角軸面取り部６と、固定手段３，３との螺合部に拡径刻設された調整ねじ部７，７とからなる。
【００１９】
図２及び図３に示されるように、固定手段３は、正面視略矩形状を成す固定手段本体部１０と、その固定手段本体部１０の上下方向に貫通し、内周に雌ねじ１１ａを設け調整ねじ部７と螺合する螺合貫通孔１１と、その螺合貫通孔１１より内側に位置し、固定手段本体部１０の上下方向に貫通するとともに内側先端部は開口し、支柱３１と嵌合し得る支柱嵌合部１２と、締め付け用のボルト８と、ボルトと螺合するナット９とで構成されている。
【００２０】
図１、図５及び図６に示されるように、補助脚本体部２は、下端部１３が徐々に縮径した全体が略円筒形状を成し、固定手段３，３と螺合する位置には、補助脚本体部２を拡径して刻設した調整ねじ部７，７と、所要高さ位置に貼着されたグリップ部４と、グリップ部４の上方に刻設された六角軸面取り部６と、上端外周部に刻設された連結軸部１４ａと、上端面中心部の上下方向に内設された固定雌ねじ１５とで構成されている。
【００２１】
図５に示されるように、ハンドル部５は、上端部に位置する円盤状の回転ハンドル１９と、その回転ハンドル１９に垂設された軸本体部２０と、軸本体部２０の外周部に刻設された六角軸面取り部２２と、軸本体部２０の外周部に刻設された縮径部２１と、その縮径部２１に遊挿し、軸本体部２０の外周壁に刻設された連結軸部１４ｂと摺動自在の略中空円柱状のロック部１７と、軸本体部２０の下端部に刻設された固定ねじ１６とで構成されている。
【００２２】
また、ロック部１７は、全体が中空円柱状であり、上端面で縮径されたストッパー部１８と、中空円柱状の内壁には連結溝２３とで構成され、連結溝２３は連結軸部１４ａとも摺動自在に嵌合される。
【００２３】
補助脚本体部２は、例えば、機械構造用炭素鋼、クロムモリブデン鋼などの管材等を切削加工または溶接等することで成形する。また、ハンドル部５も、同じく機械構造用炭素鋼、クロムモリブデン鋼などの素材を切削加工または溶接等することで成形する。さらに、グリップ部４は、例えば、ポリブタジエン系、ニトリル系、クロロプレン系の合成ゴム等で形成する。
【００２４】
図１に示す脚立用安定補助具１を脚立３０へ装着するには、まず、４本の支柱３１の内１本を選択し、支柱嵌合部１２の開口部より支柱３１を挿入嵌合し、その開口部分と支柱３１とをボルト８とナット９とで締め付け固定する。
さらに、図１に示されるように、固定に際して一方の固定手段３は、足掛桟３２の下面に固定手段本体部１０の上面を当接して固定し、もう一方の固定手段３は、足掛桟３２の上面に固定手段本体部１０の下面を当接して固定する。
【００２５】
図５に示すハンドル部５と補助脚本体部２とを連結する場合は、まず固定ねじ１６を固定雌ねじ１５と螺合し、その後にロック部１７を連結軸部１４ａ，１４ｂと嵌合固定することで連結する。その際、ハンドル部５に刻設された、六角軸面取り部２２と、補助脚本体部２に刻設された、六角軸面取り部６を締付具で回動連結する。
【００２６】
本発明の脚立用安定補助具１によって、脚立３０を地面に対して安定状態に設置する為には、作業者は脚立３０の前面に対向し起立した状態で、一方の手でグリップ部４を回動し長さ調整をしながら、他の一方の手で脚立の支柱３１を把持し安定性を確認する。
さらに、作業者が脚立３０に乗ると作業者の体重で脚立３０が不安定となる場合もあるが、その場合でも脚立３０を降りることなく脚立上でハンドル部５を回動し調整することで脚立３０を地面に対して安定状態に設置することができる。
【００２７】
本発明に係る脚立用安定補助具１は、既存の一般的な脚立３０に装着可能で、脚立３０の高さが違う場合は、ハンドル部５の長さが違うものを選択使用することで、対応可能となり、別途新たに調整機構を備えた脚立を準備することはないので経済的である。
【００２８】
さらに、本発明に係る脚立用安定補助具１は、まず、使用前に作業者が起立状態で脚立３０を地面に対して安定状態に設置できる点、また、作業中に一旦下りてから調整するのではなく、脚立上で調整できる点で従来品に対して作業性が向上する。
【００２９】
（第２実施形態）
図４に示されるように、本実施形態に係る固定手段３は、円筒形状の支柱３１と嵌合する支柱嵌合部１２が略半円形状の貫通孔で構成されている。
【００３０】
本実施形態は、円筒形状の支柱３１からなる既存の脚立（図示せず）に装着する目的の固定手段３であり、使用方法や製造方法、調整方法及び効果などは、第１実施形態と同様である。
【００３１】
図８に示されるように、本発明の補助脚本体部２は、傾斜地や不整地さらには道路等においては、金属素材そのままの状態（Ａ）で使用し、室内など傷をつけてはいけないところで使用する場合は、カバー２４に下端部１３を挿入した状態（Ｂ）で使用する。
【００３２】
また、カバー２４は、例えば、ポリブタジエン系、ニトリル系、クロロプレン系の合成ゴム等で形成する。
【００３３】
以上のように、本発明を実施するための最良の構成、方法等は、前記記載で開示されているが、本発明は、これに限定されるものではない。
例えば、前記実施形態では、ハンドル部５は、固定ねじ１６とロック部１７とで補助脚本体部２に連結されていると説明したが、その構成に限定するものではなく、例えば、互いに嵌合する継手（図示せず）とコッタ―（図示せず）等で、着脱自在に連結しても良い。
【符号の説明】
【００３４】
１    脚立用安定補助具
２    補助脚本体部
３    固定手段
４    グリップ部
５    ハンドル部
６，２２    六角軸面取り部
７    調整ねじ部
８    ボルト
９    ナット
１０    固定手段本体部
１１    螺合貫通孔
１１ａ    雌ねじ
１２    支柱嵌合部
１３    下端部
１４ａ，１４ｂ    連結軸部
１５    固定雌ねじ
１６    固定ねじ
１７    ロック部
１８    ストッパー部
１９    回転ハンドル
２０    軸本体部
２１    縮径部
２３    連結溝
２４    カバー
３０    脚立
３１    支柱
３２    足掛桟
【図１】
2018188936.tif 000003
【図２】
2018188936.tif 000004
【図３】
2018188936.tif 000005
【図４】
2018188936.tif 000006
【図５】
2018188936.tif 000007
【図６】
2018188936.tif 000008
【図７】
2018188936.tif 000009
【図８】
2018188936.tif 000010